(57)【要約】【課題】辞書機能を備えた電子機器が有する機能、および、使用可能な辞書を制限する。【解決手段】辞書機能を備えた電子機器１は、テストモードを設定するモード切替部（２２）と、テストモードが設定されている期間は、テストモードが設定された時点で使用されていた辞書データのみを検索対象として辞書検索部（２１１）に辞書検索を実行させるとともに、単語帳機能、ブックマーク機能、マーカー機能、手書き文字入力機能、および、音声出力機能の一部または全部を実行させない無効化制御部（２３）とを備える。【選択図】図１
2014063316.tif 000002
【特許請求の範囲】
【請求項１】
複数の辞書データの少なくとも１つを検索対象として辞書検索を行う辞書検索手段、および、
ユーザの操作により入力された単語を記憶部に格納するとともに、上記記憶部に格納された単語を表示部に表示させる処理を実行する単語処理手段と、
辞書データに含まれる情報に付されたブックマークを上記記憶部に格納するとともに、上記記憶部に格納されているブックマークが付された情報を上記表示部に表示させる処理を実行するブックマーク処理手段と、
辞書データに含まれる文字列を識別する文字列情報を上記記憶部に格納するとともに、上記記憶部に格納されている文字列情報で識別される文字列を他の文字列と区別して上記表示部に表示させる処理を実行する文字列処理手段と、
ユーザの操作に応じて手書き入力を受け付け、該受け付けた手書き入力の軌跡を画像として上記記憶部に格納するとともに、上記記憶部に格納されている画像を上記表示部に表示させる処理を実行する手書き文字処理手段と、
辞書データに含まれる単語の音声データを再生する処理を実行する音声再生処理手段との少なくともいずれかを有するデータ処理手段を備えた電子機器であって、
所定のモードを設定するモード設定手段と、
上記モードが設定されている期間は、上記モードが設定された時点で使用されていた辞書データのみを検索対象として上記辞書検索手段に辞書検索を実行させるとともに、上記データ処理手段が有する手段の一部または全部に処理を実行させない無効化手段とを備えることを特徴とする電子機器。
【請求項２】
上記無効化手段は、上記辞書検索手段による辞書検索、および、上記データ処理手段に実行させる処理、のみを実行させることを特徴とする請求項１に記載の電子機器。
【請求項３】
上記モードが設定されているとき、上記モードが設定されていることを示す情報を外部に通知するモード通知手段をさらに備えることを特徴とする請求項１または２に記載の電子機器。
【請求項４】
上記モード通知手段は、上記表示部に所定画像を表示させることを特徴とする請求項３に記載の電子機器。
【請求項５】
点灯部をさらに備え、
上記モード通知手段は、上記点灯部を点滅させることを特徴とする請求項３または４に記載の電子機器。
【請求項６】
上記電子機器の筐体は、ヒンジ部を有しており、該ヒンジ部を軸として二つに折り畳めるクラムシェル型の構造であり、
上記点灯部は、二つに折り畳まれた上記筐体の天面に取り付けられていることを特徴とする請求項５に記載の電子機器。
【請求項７】
上記モード設定手段は、上記モードを設定したとき、該設定したことを示す音声を出力することを特徴とする請求項１から６のいずれか１項に記載の電子機器。
【請求項８】
上記モードが設定されているとき、外部装置からの要求に応じて、上記モードが設定されているか否かを示す情報を、上記外部装置に送信するモード送信手段をさらに備えることを特徴とする請求項１から７のいずれか１項に記載の電子機器。
【請求項９】
上記モードを解除するモード解除手段をさらに備え、
上記モード解除手段は、上記モードを解除したとき、該解除したことを示す音声を出力することを特徴とする請求項１から８のいずれか１項に記載の電子機器。
【請求項１０】
上記モードを解除するモード解除手段をさらに備え、
上記モード設定手段は、上記モード解除手段により上記モードが解除されてから所定期間は、上記モードを設定しないことを特徴とする請求項１から９のいずれか１項に記載の電子機器。
【請求項１１】
点灯部と、
上記モードが解除されてから所定期間は、上記点灯部を点灯させる点灯制御手段とをさらに備えることを特徴とする請求項１０に記載の電子機器。
【請求項１２】
複数の辞書データの少なくとも１つを検索対象として辞書検索を行う辞書検索ステップ、および、
ユーザの操作により入力された単語を記憶部に格納するとともに、上記記憶部に格納された単語を表示部に表示させる処理と、
辞書データに含まれる情報に付されたブックマークを上記記憶部に格納するとともに、上記記憶部に格納されているブックマークが付された情報を上記表示部に表示させる処理と、
辞書データに含まれる文字列を識別する文字列情報を上記記憶部に格納するとともに、上記記憶部に格納されている文字列情報で識別される文字列を他の文字列と区別して上記表示部に表示させる処理と、
ユーザの操作に応じて手書き入力を受け付け、該受け付けた手書き入力の軌跡を画像として上記記憶部に格納するとともに、上記記憶部に格納されている画像を上記表示部に表示させる処理と、
辞書データに含まれる単語の音声データを再生する処理との少なくともいずれかを実行するデータ処理ステップを含む電子機器の制御方法であって、
所定のモードを設定するモード設定ステップを含み、
上記モードが設定されている期間は、上記モードが設定された時点で使用されていた辞書データのみを検索対象として上記辞書検索ステップにて辞書検索を実行するとともに、上記データ処理ステップにて実行する処理の一部または全部を実行しないことを特徴とする電子機器の制御方法。
【請求項１３】
請求項１から１１のいずれか１項に記載の電子機器が備えるコンピュータを動作させる制御プログラムであって、上記コンピュータを上記の各手段として機能させるための制御プログラム。
【請求項１４】
請求項１３に記載の制御プログラムを記録したコンピュータ読み取り可能な記録媒体。
【発明の詳細な説明】
【技術分野】
【０００１】
本発明は、辞書機能を備えた電子機器等に関する。
【背景技術】
【０００２】
近年、電子辞書には、百を超える多様なコンテンツが搭載されている。また、近年の電子辞書は多機能化が進んでおり、単語帳機能、ブックマーク（しおり）機能、マーカー機能、手書きメモ機能などの情報記録機能の他、電卓機能、ゲーム機能、電子書籍機能、カメラ機能、通話機能、通信機能、TOEIC（登録商標）等のテスト機能などの多彩な機能が搭載されている。
【０００３】
そのため、電子辞書を用いると非常に幅広い情報にアクセスできるとともに、情報記憶機能などを用いてカンニングを行なうことが可能であることから、入学試験などの試験会場への電子辞書の持ち込みは、禁止されていることが多い。つまり、現状では、コンテンツの多様さ及び多機能さが弊害となり、試験会場にて電子辞書を有効に活用することができない状況にある。
【０００４】
このような状況に関連して、機器が備える機能の一部を制限するための技術が開発されており、例えば、特許文献１〜３が開示されている。
【０００５】
特許文献１には、様々な環境において、迷惑行為と無関係な機能を制限することなく迷惑行為を確実に抑制できるようにする技術が開示されている。
【０００６】
また、特許文献２には、通信規制された場所での電波の送出を禁止するとともに、通信機能以外の他の機能の利用を可能にする技術が開示されている。
【０００７】
また、特許文献３には、授業や試験を受ける際に不正の要因とならないように、小型コンピュータとしての機能を簡単に抑制する技術が開示されている。
【先行技術文献】
【特許文献】
【０００８】
【特許文献１】特開２００６−２４５９２９号公報（２００６年９月１４日公開）
【特許文献２】特開２００２−３００６４１号公報（２００２年１０月１１日公開）
【特許文献３】特開２０１０−２１８０３号公報（２０１０年１月２８日公開）
【発明の概要】
【発明が解決しようとする課題】
【０００９】
しかしながら、特許文献１〜３などの先行技術は、試験中に電子辞書を使用可能とすることを目的として機能の一部を制限する技術ではない。試験中に電子辞書を使用するユースケースにおいては、単語帳機能、ブックマーク（しおり）機能、マーカー機能、手書きメモ機能などの情報記憶機能などを用いて使用者がカンニングを行なう危険性を排除しつつ、試験での使用を許可する辞書のみを使用者に使用させるという機能制限が必要となるが、先行技術ではこのような機能制限について想定されていない。
【００１０】
本発明は、上記の問題点に鑑みてなされたものであり、その目的は、使用可能な辞書データおよび機能を制限することができる、辞書機能を備えた電子機器等を提供することにある。
【課題を解決するための手段】
【００１１】
上記の課題を解決するために、本発明の一態様に係る電子機器は、複数の辞書データの少なくとも１つを検索対象として辞書検索を行う辞書検索手段、および、ユーザの操作により入力された単語を記憶部に格納するとともに、上記記憶部に格納された単語を表示部に表示させる処理を実行する単語処理手段と、辞書データに含まれる情報に付されたブックマークを上記記憶部に格納するとともに、上記記憶部に格納されているブックマークが付された情報を上記表示部に表示させる処理を実行するブックマーク処理手段と、辞書データに含まれる文字列を識別する文字列情報を上記記憶部に格納するとともに、上記記憶部に格納されている文字列情報で識別される文字列を他の文字列と区別して上記表示部に表示させる処理を実行する文字列処理手段と、ユーザの操作に応じて手書き入力を受け付け、該受け付けた手書き入力の軌跡を画像として上記記憶部に格納するとともに、上記記憶部に格納されている画像を上記表示部に表示させる処理を実行する手書き文字処理手段と、辞書データに含まれる単語の音声データを再生する処理を実行する音声再生処理手段との少なくともいずれかを有するデータ処理手段を備えた電子機器であって、所定のモードを設定するモード設定手段と、上記モードが設定されている期間は、上記モードが設定された時点で使用されていた辞書データのみを検索対象として上記辞書検索手段に辞書検索を実行させるとともに、上記データ処理手段が有する手段の一部または全部に処理を実行させない無効化手段とを備えている。
【００１２】
また、本発明の一態様に係る電子機器の制御方法は、複数の辞書データの少なくとも１つを検索対象として辞書検索を行う辞書検索ステップ、および、ユーザの操作により入力された単語を記憶部に格納するとともに、上記記憶部に格納された単語を表示部に表示させる処理と、辞書データに含まれる情報に付されたブックマークを上記記憶部に格納するとともに、上記記憶部に格納されているブックマークが付された情報を上記表示部に表示させる処理と、辞書データに含まれる文字列を識別する文字列情報を上記記憶部に格納するとともに、上記記憶部に格納されている文字列情報で識別される文字列を他の文字列と区別して上記表示部に表示させる処理と、ユーザの操作に応じて手書き入力を受け付け、該受け付けた手書き入力の軌跡を画像として上記記憶部に格納するとともに、上記記憶部に格納されている画像を上記表示部に表示させる処理と、辞書データに含まれる単語の音声データを再生する処理との少なくともいずれかを実行する処理ステップを含む電子機器の制御方法であって、所定のモードを設定するモード設定ステップを含み、上記モードが設定されている期間は、上記モードが設定された時点で使用されていた辞書データのみを検索対象として上記辞書検索ステップにて辞書検索を実行するとともに、上記処理ステップにて実行する処理の一部または全部を実行しない。
【発明の効果】
【００１３】
本発明の一態様によれば、モードが設定されている期間は、モードが設定された時点で使用されていた辞書データのみを検索対象として辞書検索を実行させるとともに、単語帳機能、ブックマーク機能、マーカー機能、手書きメモ機能、および音声再生機能の一部または全部を実行させない。
【００１４】
よって、所定辞書および所定機能の使用を禁止すべきユースケースにおいて、モードを設定しておけば、使用が禁じられた所定辞書および所定機能を使用者に使用される危険性を排除しつつ、電子機器を使用者に使用させることができるという効果を奏する。
【図面の簡単な説明】
【００１５】
【図１】本発明の一実施形態に係る電子機器の構成を示すブロック図である。
【図２】上記電子機器の筐体の一例を示す模式図である。
【図３】上記電子機器にてテストモードを設定する際に表示される画面例を示す模式図である。
【図４】上記電子機器にてテストモードを解除する際に表示される画面例を示す模式図である。
【図５】上記電子機器にてテストモードが設定されているときに、他辞書およびメニューへの切り替えが無効化される様子を示す模式図である。
【図６】上記電子機器にてテストモードが設定されているときに、情報参照機能が無効化される様子を示す模式図である。
【図７】上記電子機器にてテストモードが設定されているときに、マーカー表示機能が無効化される様子を示す模式図である。
【図８】上記電子機器にてテストモードが設定されているときに、情報記録機能が無効化される様子を示す模式図である。
【図９】上記電子機器にてテストモードが設定されているときに、音声再生機能が無効化される様子を示す模式図である。
【図１０】上記電子機器にてテストモードを切り替える処理の流れの一例を示したフローチャートである。
【図１１】上記電子機器におけるモード解除後処理の流れの一例を示したフローチャートである。
【図１２】上記電子機器にて各種機能を実行する際の処理の流れの一例を示したフローチャートである。
【図１３】上記電子機器における表示処理の流れの一例を示したフローチャートである。
【図１４】上記電子機器におけるジャンプ検索処理の流れの一例を示したフローチャートである。
【図１５】上記電子機器におけるテストモードの初期化処理の流れの一例を示したフローチャートである。
【発明を実施するための形態】
【００１６】
本発明の一実施形態について、図１〜図１５に基づいて以下に詳細に説明する。
【００１７】
（電子機器１の概要）
本実施形態に係る電子機器１は、複数の辞書データの少なくともいずれかを検索対象とする辞書機能を備えた電子辞書である。なお、本発明は、電子辞書に限定されるものではなく、辞書機能を備えた他の電子機器（ＰＣ（Personal Computer）、スマートフォン、タブレットＰＣ等）にも適用可能である。
【００１８】
電子機器１は、入学試験などの試験中に、使用者に不正行為（カンニング）を行わせることなく使用させることを目的として、使用者が使用できる機能を制限するものである。そのために、電子機器１は、試験中に使用者が使用できる機能を制限するモード（以下、「テストモード」と表記する）を設定することができる。テストモードが設定されているときに使用できない機能の種類については後述する。
【００１９】
また、試験中に使用されている電子機器１が適切にテストモードに設定されていることを試験監督者などに知らせるために、電子機器１は、テストモードの設定および解除に関する通知を行なうための各種機能を備えている。
【００２０】
（電子機器１の構成）
図１を参照しながら、電子機器１の構成について説明する。図示のとおり、電子機器１は、少なくとも、制御部２、記憶部３、操作部４、および表示部５を備えている。さらに、図示のとおり、点灯部６、音声出力部７、および通信部８を備える構成であることが好ましい。
【００２１】
制御部２は、電子機器１の全体を統括して制御するものであり、例えばＣＰＵ（Central Processing Unit）等で構成することができる。制御部２は、記憶部３、操作部４、表示部５、点灯部６、音声出力部７、および通信部８のそれぞれを制御する。制御部２の詳細な構成については後述する。
【００２２】
次に、記憶部３は、制御部２が実行する（１）各部の制御プログラム、（２）ＯＳ（Operation System）プログラム、（３）辞書データを制御するアプリケーションプログラム（以下、辞書アプリケーションと表記する）を含む各種アプリケーションプログラム、および、（４）これらプログラムを実行するときに読み出す各種データを記憶するものである。記憶部３は、フラッシュメモリなどの不揮発性の記憶装置によって構成される。また、記憶部３は、制御部２が上述の各種プログラムを実行する過程でデータを一時的に保持するための作業領域として、ＲＡＭ（Random Access Memory）などの揮発性の記憶装置によって構成される領域を有している。
【００２３】
なお、記憶部３は、必ずしも電子機器１内に備えられる必要はなく、電子機器１に着脱可能な外部記憶装置、または、通信ネットワーク上の外部記憶装置として、電子機器１に接続される構成であってもよい。
【００２４】
また、記憶部３は、異なる複数の辞書データを記憶する。辞書データは一般に知られている形式のものでよい。
【００２５】
また、記憶部３は、テストモードに設定された状態であるか、または、テストモードが解除された状態であるかを示すフラグであるモードフラグを記憶するモード記憶部３１を備えている。テストモードに設定されている状態のとき、モードフラグの値は「True」であり、テストモードが解除されている状態のとき、モードフラグの値は「False」である。
【００２６】
次に、操作部４は、電子機器１の使用者からの操作を受け付けるものであり、典型的には、キーボード、タッチパネルなどである。操作部４が受け付ける操作の典型例は、テストモードの設定および解除を切り替える操作（つまり、テストモードに設定する操作、および、テストモードを解除する操作）である。この操作は、例えば、操作部４に設けられている「TEST」ボタンの押下である。
【００２７】
次に、表示部５は、制御部２の指示に基づいて画像を表示する表示装置である。ＬＣ（Liquid Crystal）表示パネル、ＥＬ（Electro Luminescence）表示パネル等を表示部５として適用することができる。また、表示部５は、画像表示と操作入力との両機能を備えるタッチパネルであってもよい。この場合、表示部５は操作部４の機能を兼ね備える。
【００２８】
次に、点灯部６は、点灯制御が可能なランプであり、典型的には、ＬＥＤ（Light Emitting Diode：発光ダイオード）で構成されている。点灯部６は、点灯制御されることにより、点灯色、点灯パターン、点滅パターンを変えて点灯する。なお、点灯部６の好ましい取り付け位置については後述する。
【００２９】
次に、音声出力部７は、スピーカなどの音声出力装置であり、記憶部３に記憶している音声データを音声として外部へ出力するものである。
【００３０】
次に、通信部８は、電子機器１が通信ネットワークを介して外部装置と通信を行うための通信インターフェースである。本実施形態では、通信部８は、ＷｉＦｉ（登録商標）、Ｂｌｕｅｔｏｏｔｈ（登録商標）などの無線通信、ＩｒＤＡなどの赤外線通信を行なう通信インターフェースを想定している。
【００３１】
（制御部の詳細な構成）
次に、制御部２の構成について詳細に説明する。制御部２は、機能提供部２１、モード切替部（モード設定手段、モード解除手段）２２、無効化制御部（無効化手段）２３、モード通知部（モード通知手段）２４を備えている。
【００３２】
機能提供部２１は、記憶部３に格納されているアプリケーションプログラムを実行することによって、電子辞書が通常備える辞書機能および各種機能を提供するものである。機能提供部２１が提供する機能は、下記（１）、および、下記（２）〜（５）の少なくともいずれかである。
【００３３】
（１）複数の辞書データの少なくとも１つを検索対象として辞書検索を行う機能（以下、辞書検索機能と表記する）。辞書検索機能には、（ａ）検索対象とする辞書データを切り替える機能（以下、辞書切替機能と表記する）、（ｂ）ある辞書データを使用中に他の辞書データを検索する機能（以下、ジャンプ検索機能と表記する）、（ｃ）複数の辞書データを一括して検索する機能（以下、一括検索機能と表記する）が含まれる。
【００３４】
（２）単語帳機能、ブックマーク（しおり）機能、マーカー機能、手書きメモ機能によって、データを記録する機能（以下、情報記録機能と表記する）。具体的には、単語帳機能によって、使用者の操作に応じて入力された単語を記憶部３に記録する。なお、辞書検索機能により辞書検索された単語を使用者の操作に応じて記憶部３に記録してもよい。また、ブックマーク機能によって、辞書データに含まれる情報に付されたブックマークを記憶部３に記録する。なお、辞書検索機能により辞書検索された情報に対して付されたブックマークを記憶部３に記録してもよい。また、マーカー機能によって、辞書データに含まれる文字列を識別するための文字列情報を記憶部３に記録する。なお、辞書検索機能により辞書検索された文字列に対して付された文字列情報を記憶部３に記録してもよい。また、手書きメモ機能によって、使用者の操作に応じて入力された手書き入力の軌跡を画像（以下、手書き画像と表記する）として記憶部３に記録する。なお、辞書検索機能により辞書検索された情報に関連付けて手書き画像を記憶部３に記録してもよい。
【００３５】
（３）単語帳機能、ブックマーク（しおり）機能、マーカー機能、手書きメモ機能によって、記録された各種データを表示部５に表示させる機能（以下、情報参照機能と表記する）。具体的には、単語帳機能によって、記憶部３に格納されている単語を表示部５に表示させる。ブックマーク機能によって、記憶部３に格納されているブックマークが付された情報を表示部５に表示させる。マーカー機能によって、記憶部３に格納されている文字列情報で識別される文字列を他の文字列と区別して表示部５に表示させる。手書きメモ機能によって、記憶部３に格納されている手書き画像を表示部５に表示させる。
【００３６】
（４）辞書データに含まれる単語の音声データを再生する機能。（以下、音声再生機能と表記する）。音声再生機能は、ユーザに選択された単語の発音を表わす音声データを再生する機能が含まれる。
【００３７】
（５）上記（１）〜（４）以外の機能（電卓機能、ゲーム機能、電子書籍機能、カメラ機能、通話機能、通信機能、TOEIC等のテスト機能など）に切り替える機能（上記（１）〜（４）以外の機能を呼び出すためのメニュー画面への遷移を含む）。
【００３８】
なお、辞書検索機能は、図１に示す辞書検索部（辞書検索手段）２１１が実行する（辞書検索ステップ）。また、単語帳機能、ブックマーク機能、マーカー機能、手書きメモ機能、および音声再生機能は、それぞれ、図１に示す単語帳処理部（単語処理手段、データ処理手段）２１２、ブックマーク処理部（ブックマーク処理手段、データ処理手段）２１３、マーカー処理部（文字列処理手段、データ処理手段）２１４、手書きメモ処理部（手書き文字処理手段、データ処理手段）２１５、および、音声再生処理部（音声再生処理手段、データ処理手段）２１６が実行する（データ処理ステップ）。
【００３９】
また、機能提供部２１は、辞書機能の実行を開始したとき、モード記憶部３１に格納されているモードフラグを「False」に更新し、テストモードを初期化する。
【００４０】
また、機能提供部２１が提供する機能は、それぞれ、その機能を使用中にテストモードを設定できるか否かが、予め定められているものとする。
【００４１】
次に、モード切替部２２は、典型的には、操作部４にてテストモードに設定する所定操作（例えば、「TEST」ボタンの押下）を受け付けたとき、モード記憶部３１に格納されているモードフラグを「True」に更新し、テストモードに設定する（モード設定ステップ）。
【００４２】
なお、電子辞書のモデル毎に搭載されている辞書が異なることが多いことから、試験で使用する辞書を外部から指定することは容易ではない。また、試験でどの辞書を使用するかという判断が試験出題者毎に異なる場合があるため、試験で使用する辞書を一律に定めることも困難である。したがって、使用者は、試験で使用する辞書が選択されている状態のときに、操作部４にてテストモードに設定する所定操作を行なうことが望ましい。また、使用者の操作に応じてテストモードを設定する構成によれば、外部装置から電子辞書を制御するためのアンテナ設備を必要としないため、コストの増大を抑制することができる。ただし、必要に応じて、外部装置からのテストモードの設定指示を受け付ける構成を備えていてもよい。
【００４３】
また、モード切替部２２は、典型的には、操作部４にてテストモードを解除する所定操作を受け付けたとき、モード記憶部３１に格納されているモードフラグを「False」に更新し、テストモードを解除する。外部装置からのテストモードの解除指示を受け付ける構成をさらに備えていてもよい。
【００４４】
ここで、上述したとおり、機能提供部２１が提供する各機能は、その機能を使用中にテストモードを設定できるか否かが予め定められている。そのため、モード切替部２２は、テストモードを切り替える所定操作を受け付けたときに使用中の機能がテストモードを設定できるか否かを調べ、テストモードを設定できる場合に限り、テストモードを切り替える。一方、テストモードを切り替える所定操作を受け付けたときに使用中の機能がテストモードを設定できない場合は、テストモードを切り替えずに処理を終了する。この場合、モード切替部２２は、操作は無効である旨のメッセージ（以下、操作無効メッセージと表記する）を表示部５に表示する構成であることが好ましい。
【００４５】
また、モード切替部２２は、テストモードを切り替えることによりテストモードを設定する場合（つまり、解除状態から設定状態に切り替える場合）、切り替える前に、テストモードの設定可否を使用者に確認するためのダイアログ（以下、設定確認ダイアログと表記する）を表示部５に表示する構成であることが好ましい。例えば、「テストモードに設定しますか？」というダイアログを表示部５に表示する。
【００４６】
同様に、モード切替部２２は、テストモードを切り替えることによりテストモードを解除する場合（つまり、設定状態から解除状態に切り替える場合）、切り替える前に、テストモードの解除可否を使用者に確認するためのダイアログ（以下、解除確認ダイアログと表記する）を表示部５に表示する構成であることが好ましい。例えば、「テストモードを解除しますか？」というダイアログを表示部５に表示する。
【００４７】
また、モード切替部２２は、テストモードを設定したとき、テストモードが設定されたことを示す音声データを、音声出力部７を介して音声として外部に出力する構成であることが好ましい。例えば、「テストモードが設定されました」という音声を出力する。また、モードを解除したとき、テストモードが解除されたことを示す音声データを、音声出力部７を介して音声として外部に出力する構成であることが好ましい。例えば、「テストモードが解除されました」という音声を出力する。なお、これらの音声は、電子機器１の使用者のみならず、周囲の者（特に、試験監督者）が聞こえる程度の音量で出力されることが望ましい。これにより、試験中に使用者が不正にテストモードを切り替えることを抑制することができる。
【００４８】
さらに、モード切替部２２は、テストモードの設定が完了したとき、テストモードの設定完了を通知するメッセージ（以下、設定通知メッセージと表記する）を表示部５に表示する構成であることが好ましい。同様に、モード切替部２２は、テストモードの解除が完了したとき、テストモードの解除完了を通知するメッセージ（以下、解除通知メッセージと表記する）を表示部５に表示する構成であることが好ましい。
【００４９】
また、モード切替部２２は、テストモードを解除してから所定期間（例えば、５分間）（以下、期間Ｄと表記する）は、操作部４にてテストモードに設定する所定操作を受け付けたとしても、テストモードの設定を禁止する構成であることが好ましい。なお、この場合、後述するように、期間Ｄでは点灯部６を点灯させることが好ましい。例えば常時点灯させることが好ましい。これらにより、試験監督者などが、不正にテストモードを解除した使用者を発見しやすくなる。なお、期間Ｄの経過後は、モード切替部２２は、テストモードの設定を許容する。
【００５０】
なお、上述では、モード切替部２２は、操作部４にてテストモードに設定する所定操作を受け付けたことをトリガとして動作するものとして説明したが、これに限定されるものではない。使用者による誤操作を防止する観点で、試験で使用が許可された辞書データの選択、および、テストモードの設定および解除を、外部装置からの指示に応じて切り替える構成であってもよい。
【００５１】
次に、無効化制御部２３は、テストモードが設定されているとき（つまり、モード記憶部３１に格納されているモードフラグが「True」のとき）、機能提供部２１が提供する機能を制限するものである。具体的には、無効化制御部２３は、下記（１）および（５）を行うとともに、（２）〜（４）の少なくともいずれかを行う。
【００５２】
（１）モードが設定された時点で使用されていた辞書データのみを検索対象として辞書検索機能に辞書検索を行わせる。具体的には、（ａ）辞書切替機能を無効化し、モードが設定された時点で使用されていた辞書データ以外の辞書データへの切り替えを実行させない。（ｂ）ジャンプ検索機能を無効化し、モードが設定された時点で使用されていた辞書データ以外の辞書データの検索を実行させない。（ｃ）一括検索機能を無効化し、実行させない。
【００５３】
（２）情報記録機能の所定の一部または全部を無効化し、実行させない。具体的には、単語帳機能による単語の記録、ブックマーク機能によるブックマークの記録、マーカー機能による文字列情報の記録、手書きメモ機能による画像の記録、の所定の一部または全部を実行させない。
【００５４】
（３）情報参照機能の所定の一部または全部を無効化し、実行させない。具体的には、単語帳機能による単語の表示、ブックマーク機能によるブックマークの表示、マーカー機能による文字列の表示、手書きメモ機能による画像の表示、の所定の一部または全部を実行させない。
【００５５】
（４）音声再生機能を無効化し、実行させない。
【００５６】
（５）上記（１）〜（４）以外の機能への切り替え（上記（１）〜（４）以外の機能を呼び出すためのメニュー画面への遷移を含む）を無効化し、上記（１）〜（４）以外の機能を実行させない。つまり、上記（１）〜（４）の機能のみを実行させる。
【００５７】
別の表現で言い換えると、無効化制御部２３は、電子機器１が具備する各種の情報入出力機能のうち、モードが設定された時点で使用されていた辞書データのみを検索対象とした辞書検索部２１１による辞書検索、並びに、機能提供部２１が提供する単語帳機能、ブックマーク機能、マーカー機能、手書きメモ機能、および音声再生機能のうちの無効化される機能を除く機能、のみを実行させる。なお、無効化される機能は予め定められていてもよいし、外部から指定可能であってもよい。
【００５８】
なお、無効化制御部２３は、無効化している機能の実行を指示する操作を操作部４にて受け付けた場合、操作無効メッセージを表示部５に表示する構成であることが好ましい。
【００５９】
次に、モード通知部２４は、テストモードの設定および解除に関する情報を外部に通知するものである。そのために、モード通知部２４は、画像表示部２４１、点灯制御部（点灯制御手段）２４２、モード送信部（モード送信手段）２４４を含んでいる。
【００６０】
画像表示部２４１は、テストモードが設定されている期間、テストモードが設定されていることを示す画像（以下、テストモード画像Ｐと表記する）を表示部５に表示する。なお、テストモード画像Ｐは、他の表示および操作の妨げにならない位置およびサイズにて表示することが好ましい。例えば、表示部５の表示面の右上端に表示する（図３の（ｃ）参照）。なお、テストモード画像Ｐは、試験監督者に視認しやすい色彩であることが好ましい。
【００６１】
なお、画像表示部２４１は、テストモードが解除されたとき、テストモード画像Ｐの表示部５への表示を中止する。
【００６２】
次に、点灯制御部２４２は、テストモードが設定されている期間中、点灯部６が点灯するように制御する。なお、点灯部６がＬＥＤで構成されている場合、消費電力を抑えるために、点灯制御部２４２は、点灯部６を点滅させるように制御することが好ましい。
【００６３】
なお、点灯制御部２４２は、テストモードが解除されているときは、点灯部６を消灯する。ただし、点灯制御部２４２は、テストモードを解除してから期間Ｄは、点灯部６の点灯パターンを、テストモードが設定されている期間中の点灯パターンと異なるように制御することが好ましい。例えば、テストモードを解除してから期間Ｄは、点灯部６を常時点灯させるように制御する。これにより、試験監督者などが、試験中に不正にテストモードを解除した使用者を発見しやすくなる。なお、期間Ｄの経過後は、点灯制御部２４２は点灯部６を消灯する。
【００６４】
次に、モード送信部２４４は、外部装置からの要求に応じて、テストモードが設定されているか否かを示す情報を、上記外部装置に送信する。具体的には、モード送信部２４４は、通信部８を介して外部装置からテストモードの参照要求を受信したとき、モード記憶部３１に格納されているモードフラグを参照する。そして、モード記憶部３１に格納されているモードフラグが「True」のとき、テストモードが設定されていることを示す情報を、外部装置に送信する。一方、モード記憶部３１に格納されているモードフラグが「False」のとき、テストモードが設定されていないことを示す情報を、外部装置に送信する。
【００６５】
（点灯部の取り付け位置）
上述したとおり、点灯部６は、テストモードが設定されている期間、点灯が制御される。そのため、点灯部６は、電子機器１の使用者の妨げにならない位置に取り付けられていることが好ましい。一方、試験監督者からは視認しやすい位置に取り付けられていることが好ましい。
【００６６】
図２を参照しながら、点灯部６の好ましい取り付け位置について説明する。図２は、電子機器１の筐体の一例を示す模式図である。この例では、電子機器１は、筐体がヒンジ部Ｈで二つに折り畳めるクラムシェル型の構造である。
【００６７】
図２の（ａ）は、電子機器１が閉状態のときの様子を示す模式図である。閉状態とは、ヒンジ部Ｈを軸として筐体が二つに折り畳まれ、操作部４と表示部５とが対向している状態である。図２の（ｂ）は、使用者が開状態の電子機器１を使用している様子を示す模式図である。開状態とは、ヒンジ部Ｈを軸として筐体を回動させて開いた状態である。また、図２の（ｃ）は、使用者が開状態の電子機器１を使用している他の様子を示す模式図である。図２の（ｃ）は、図２の（ｂ）に示す電子機器１を天面９の方向から見た図である。
【００６８】
図２の（ａ）に示すとおり、閉状態の電子機器１の天面９に、点灯部６を取り付けることが好ましい。点灯部６を天面９に取り付けることにより、図２の（ｂ）に示すとおり、表示部５の表示面を見ている使用者の視界に点灯部６が入らず、かつ、図２の（ｃ）に示すとおり、試験監督者から点灯部６が視認しやすいためである。
【００６９】
さらには、電子機器１の使用状態において、点灯部６と、電子機器１を載置する載置面Ｓとの距離ｈはできるだけ離れていることが好ましい（図２の（ｃ）参照）。このように取り付けることにより、点灯部６からの照射光が載置面Ｓに反射した反射光の発生を抑制し、反射光が電子機器１の使用者や周囲へ照射されることを抑制することができる。
【００７０】
また、点灯部６からの照射光の照射方向を限定するために、点灯部６にルーバーやフードを設けて、点灯部６からの照射光が使用者の視界に入らないようにしてもよい。
【００７１】
（表示画面例）
次に、図３〜９を参照しながら、電子機器１の表示部５に表示される画面例について説明する。
【００７２】
（テストモード設定時）
図３は、テストモードを設定する際に表示される画面例を示す模式図である。図３の（ａ）は、テストモードが設定されていないときに辞書データの一つである国語辞書が表示部５に表示されている様子を示す画面例である。この状態において、操作部４にてテストモードに設定する所定操作を受け付けたとき、モード切替部２２は、設定確認ダイアログＭ１を表示部５に表示する（図３の（ｂ）参照）。
【００７３】
そして、操作部４にてテストモードの設定を許可する入力を受け付けると、モード切替部２２はテストモードを設定するとともに、設定通知メッセージＭ２を表示部５に表示する（図３の（ｃ）参照）。さらに、モード切替部２２は、「テストモードが設定されました」という音声を音声出力部７を介して外部に出力する。
【００７４】
そして、画像表示部２４１は、テストモード画像Ｐを表示部５に表示する（図３の（ｃ）参照）。
【００７５】
（テストモード解除時）
図４は、テストモードを解除する際に表示される画面例を示す模式図である。図４の（ａ）は、テストモードが設定されているときに国語辞書が表示部５に表示されている様子を示す画面例である。なお、図示のとおり、画像表示部２４１により、テストモード画像Ｐが表示部５に表示されている。
【００７６】
この状態において、操作部４にてテストモードを解除する所定操作を受け付けたとき、モード切替部２２は、解除確認ダイアログＭ３を表示部５に表示する（図４の（ｂ）参照）。
【００７７】
そして、操作部４にてテストモードの解除を許可する入力を受け付けると、モード切替部２２はテストモードを解除するとともに、解除通知メッセージＭ４を表示部５に表示する（図４の（ｃ）参照）。さらに、モード切替部２２は、「テストモードが解除されました」という音声を音声出力部７を介して外部に出力する。
【００７８】
そして、画像表示部２４１は、テストモード画像Ｐの表示部５への表示を中止する（図４の（ｃ）参照）。
【００７９】
（他辞書およびメニュー画面への切り替え機能の無効化）
図５は、テストモードが設定されているとき、他辞書およびメニュー画面への切り替えが無効化される様子を示す模式図である。
【００８０】
まず、図５の（ａ）は、テストモードが設定されているときに辞書データの一つである国語辞書が表示部５に表示されている様子を示す画面例である。なお、図示のとおり、画像表示部２４１により、テストモード画像Ｐが表示部５に表示されている。
【００８１】
このとき、テストモードが設定されていることから、使用中の国語辞書以外の辞書、および、辞書機能以外の機能へ切り替えることは、無効化制御部２３によって制限されている。
【００８２】
テストモードが設定されていなければ、図５（ａ）に示す画面から、メニュー画面（図５の（ｂ）参照）、一括検索画面（図５の（ｃ）参照）、英和辞書検索画面（図５の（ｄ）参照）に切り替え可能であるところ、テストモードが設定されているため、これらの画面への切り替えは無効化制御部２３により無効化されている。そのため、これらの画面へ切り替える操作を操作部４にて受け付けた場合、無効化制御部２３は、操作無効メッセージＭ５を表示部５に表示する（図５の（ｇ））。
【００８３】
なお、図５の（ｅ）は、図５の（ａ）に示す画面例にて“レッド”という単語を検索した結果の画面例である。テストモードが設定されていなければ、ジャンプ検索機能を用いて、画面中の文字列“red”を英和辞書で検索した結果の画面（図５の（ｆ）参照）に切り替え可能であるところ、テストモードが設定されているため、使用中の国語辞書以外の辞書データである英和辞書への切り替えは無効化制御部２３により無効化されている。そのため、ジャンプ検索を指示する操作を操作部４にて受け付けた場合、無効化制御部２３は、操作無効メッセージＭ５を表示部５に表示する（図５の（ｈ））。
【００８４】
（記録参照機能の無効化）
図６は、テストモードが設定されているとき、情報参照機能が無効化される様子を示す模式図である。
【００８５】
図６の（ａ）および図６の（ｂ）は、それぞれ、図５の（ａ）および図５の（ｂ）と同じ画面例である。テストモードが設定されていないときであれば、図６の（ａ）または図６の（ｂ）に示す画面から、単語帳機能（図６の（ｃ）参照）、ブックマーク機能（図６の（ｄ）参照）、マーカー機能（図６の（ｅ）参照）、および、手書きメモ機能（図６の（ｆ）参照）のそれぞれに切り替え可能であるところ、テストモードが設定されているため、これらの画面への切り替えは無効化制御部２３により無効化されている。そのため、これらの画面へ切り替える操作を操作部４にて受け付けた場合、無効化制御部２３は、操作無効メッセージＭ５を表示部５に表示する（図６の（ｇ））。
【００８６】
（マーカー表示機能の無効化）
図７は、テストモードが設定されているとき、マーカー表示機能が無効化される様子を示す模式図である。
【００８７】
図７の（ａ）は、テストモードが設定されていないときに辞書データの一つである国語辞書が表示部５に表示されている様子を示す画面例である。この例では、使用者が過去に文字列に付したマーカーＭ６およびＭ７が文字列に重畳して表示されている。
【００８８】
一方、図７の（ｂ）は、テストモードが設定されていないときに国語辞書が表示部５に表示されている様子を示す画面例である。この例では、無効化制御部２３により、マーカーを表示することが無効化されており、マーカーＭ６およびＭ７は表示されない。
【００８９】
（情報記録機能の無効化）
図８は、テストモードが設定されているとき、情報記録機能が無効化される様子を示す模式図である。
【００９０】
図８の（ａ）は、テストモードが設定されているときに辞書データの一つである英和辞書が表示部５に表示されている様子を示す画面例である。図８の（ｂ）は、図８の（ａ）に示す画面例から遷移した画面例である。
【００９１】
テストモードが設定されていないときであれば、図８の（ａ）または図８の（ｂ）に示す画面から、単語帳に単語を登録するための操作（図８の（ｃ）参照）、マーカー機能によるマーカーの入力（図８の（ｄ）参照）、および、手書きメモ機能による手書き文字入力（図８の（ｅ）参照）がそれぞれ可能であるところ、テストモードが設定されているため、無効化制御部２３によりこれらは無効化されている。
【００９２】
さらに、テストモードが設定されていないときであれば、図８の（ａ）に示す画面から図８の（ｂ）に示す画面に戻る際、ブックマーク機能によりブックマーク情報が自動的に記録されるところ、テストモードが設定されているため、ブックマーク機能は無効化制御部２３により無効化されており、ブックマーク情報は記録されない。
【００９３】
（音声再生機能の無効化）
図９は、テストモードが設定されているとき、音声再生機能が無効化される様子を示す模式図である。
【００９４】
図９の（ａ）は、テストモードが設定されているときに国語辞書が表示部５に表示されており、「音を聞く」メニューが選択されている様子を示す画面例である。この場合、音声再生機能が無効化制御部２３によって制限されているので、「音を聞く」メニューが選択されても音声は再生されない。そして、無効化制御部２３は、操作無効メッセージＭ５を表示部５に表示する（図９の（ｂ））。
【００９５】
また、図９の（ｃ）は、テストモードが設定されているときに英和辞書が表示部５に表示されており、検索された単語「red」の発音を音声出力させる機能を表す画像ＶがタッチペンＴにて選択されている様子を示す画面例である。この場合、音声再生機能が無効化制御部２３によって制限されているので、画像Ｖが選択されても音声は再生されない。そして、無効化制御部２３は、操作無効メッセージＭ５を表示部５に表示する（図９の（ｄ））。
【００９６】
また、図９の（ｅ）は、テストモード中に英英辞書が表示部５に表示されており、単語「carry」の発音を出力することをタッチペンＴで指示した様子を示す画面例である。この場合、音声再生機能が無効化制御部２３によって制限されているので、発音の出力が指示されても音声は再生されない。そして、無効化制御部２３は、操作無効メッセージＭ５を表示部５に表示する（図９の（ｆ））。
【００９７】
（処理の流れ）
次に、電子機器１における処理の流れについて、図１０〜図１５に基づいて説明する。
【００９８】
（テストモード切替処理）
図１０は、テストモードを切り替える処理の流れの一例を示したフローチャートである。
【００９９】
まず、操作部４にて、テストモードの切り替えを指示する操作を受け付けると（Ｓ１）、モード切替部２２は、現在使用中の機能がテストモードを設定可能であるか否かを調べる（Ｓ２）。現在使用中の機能がテストモードを設定可能でない場合（Ｓ２にてＮＯ）、操作無効メッセージを表示部５に表示し（Ｓ１８）、処理を終了する。
【０１００】
一方、現在使用中の機能がテストモードを設定可能である場合（Ｓ２にてＹＥＳ）、現在テストモードが解除状態であるときは（Ｓ３にてＹＥＳ）、モード切替部２２は、設定確認ダイアログを表示する（Ｓ４）。そして、操作部４にてテストモードの設定を許可する入力を受け付けると（Ｓ５にてＹＥＳ）、モード切替部２２は、テストモードを設定する（Ｓ６）。そして、モード切替部２２は、テストモードが設定されたことを示す音声データを、音声として外部に出力する（Ｓ７）。さらに、モード切替部２２は、テストモードの設定が完了したとき、設定通知メッセージを表示部５に表示する（Ｓ８）。続いて、画像表示部２４１は、テストモード画像Ｐを表示部５に表示する（Ｓ９）。そして、点灯制御部２４２は、点灯部６が点灯するように制御する（Ｓ１０）。
【０１０１】
一方、操作部４にてテストモードの設定を許可しない入力を受け付けると（Ｓ５にてＮＯ）、処理を終了する。
【０１０２】
また、現在テストモードが設定状態であるときは（Ｓ３にてＮＯ）、モード切替部２２は、解除確認ダイアログを表示する（Ｓ１１）。そして、操作部４にてテストモードの解除を許可する入力を受け付けると（Ｓ１２にてＹＥＳ）、モード切替部２２は、テストモードを解除する（Ｓ１３）。そして、モード切替部２２は、テストモードが解除されたことを示す音声データを、音声として外部に出力する（Ｓ１４）。さらに、モード切替部２２は、テストモードの解除が完了したとき、解除通知メッセージを表示部５に表示する（Ｓ１５）。続いて、画像表示部２４１は、テストモード画像Ｐの表示部５への表示を中止する（Ｓ１６）。そして、モード解除後処理を実行する（Ｓ１７）。モード解除後処理については、別のフローチャートを用いて後述する。
【０１０３】
一方、操作部４にてテストモードの解除を許可しない入力を受け付けると（Ｓ１１にてＮＯ）、処理を終了する。
【０１０４】
（モード解除後処理）
次に、図１１は、モード解除後処理の流れの一例を示したフローチャートである。
【０１０５】
まず、モード切替部２２は、テストモードの設定を禁止する（Ｓ２１）。続いて、点灯制御部２４２は、点灯部６の点灯パターンを、テストモードが設定されている期間中の点灯パターンと異なるように制御する（Ｓ２２）。モード切替部２２および点灯制御部２４２は、期間Ｄが経過するまで、これらの動作を継続する（Ｓ２３）。
【０１０６】
そして、期間Ｄが経過したら（Ｓ２３にてＹＥＳ）、点灯制御部２４２は点灯部６を消灯する（Ｓ２４）。そして、モード切替部２２は、テストモードの設定を許容する（Ｓ２５）。
【０１０７】
（各種機能を実行する際の処理）
次に、図１２は、各種機能を実行する際の処理の流れの一例を示したフローチャートである。
【０１０８】
まず、操作部４にて機能の実行を指示する操作を受け付けたとき（Ｓ３１）、テストモードが設定されているときに無効化制御部２３が無効化する機能でなければ（Ｓ３２にてＮＯ）、機能提供部２１は機能を実行する（Ｓ３４）。
【０１０９】
一方、テストモードが設定されているときに無効化制御部２３が無効化する機能であっても（Ｓ３２にてＹＥＳ）、テストモードが設定されていなければ（Ｓ３３にてＹＥＳ）、機能提供部２１は機能を実行する（Ｓ３４）。一方、テストモードが設定されているときは（Ｓ３３にてＮＯ）、機能提供部２１は機能を実行せずに、操作無効メッセージを表示部５に表示する（Ｓ３５）。
【０１１０】
（表示処理）
次に、図１３は、表示処理の流れの一例を示したフローチャートである。
【０１１１】
まず、テストモードが設定されているときに無効化制御部２３により表示が無効化されるデータ（具体的には、文字列に付されたマーカー）でなければ（Ｓ４１にてＮＯ）、機能提供部２１によりデータの表示が実行される（Ｓ４２）。
【０１１２】
一方、テストモードが設定されているときに無効化制御部２３が表示を無効化するデータである場合（Ｓ４１にてＹＥＳ）、テストモードが設定されていなければ（Ｓ４２にてＹＥＳ）、機能提供部２１によりデータの表示が実行される（Ｓ４３）。一方、テストモードが設定されているときは（Ｓ４２にてＮＯ）、機能提供部２１はデータの表示を実行せずに処理を終了する。
【０１１３】
（ジャンプ検索処理）
次に、図１４は、ジャンプ検索処理の流れの一例を示したフローチャートである。この例では、現在、辞書データを使用中であるものとする。
【０１１４】
このとき、操作部４にてジャンプ検索の実行を指示する操作を受け付けると（Ｓ５１）、テストモードが設定されていなければ（Ｓ５２にてＹＥＳ）、機能提供部２１はジャンプ検索機能を実行する（Ｓ５３）。そして、検索結果があれば（Ｓ５４にてＹＥＳ）、検索結果を表示部５に表示する（Ｓ５５）。なお、検索結果が無ければ（Ｓ５４にてＮＯ）、検索結果が無い旨を表示部５に表示する（Ｓ５６）。
【０１１５】
一方、テストモードが設定されていれば（Ｓ５２にてＮＯ）、無効化制御部２３はジャンプ検索機能を無効化し、機能提供部２１に、現在使用中の辞書のみのジャンプ検索を実行させる（Ｓ５７）。そして、検索結果があれば（Ｓ５８にてＹＥＳ）、検索結果を表示部５に表示する（Ｓ５９）。なお、検索結果が無ければ（Ｓ５８にてＮＯ）、検索結果が無い旨を表示部５に表示する（Ｓ６０）。
【０１１６】
（テストモードの初期化処理）
最後に、図１５は、テストモードの初期化処理の流れの一例を示したフローチャートである。機能提供部２１は、辞書機能の実行を開始すると（Ｓ７１）、モード記憶部３１に格納されているモードフラグを「False」に更新し、テストモードを初期化する（Ｓ７２）。
【０１１７】
（まとめ）
本発明の一態様に係る電子機器は、複数の辞書データの少なくとも１つを検索対象として辞書検索を行う辞書検索手段、および、ユーザの操作により入力された単語を記憶部に格納するとともに、上記記憶部に格納された単語を表示部に表示させる処理を実行する単語処理手段と、辞書データに含まれる情報に付されたブックマークを上記記憶部に格納するとともに、上記記憶部に格納されているブックマークが付された情報を上記表示部に表示させる処理を実行するブックマーク処理手段と、辞書データに含まれる文字列を識別する文字列情報を上記記憶部に格納するとともに、上記記憶部に格納されている文字列情報で識別される文字列を他の文字列と区別して上記表示部に表示させる処理を実行する文字列処理手段と、ユーザの操作に応じて手書き入力を受け付け、該受け付けた手書き入力の軌跡を画像として上記記憶部に格納するとともに、上記記憶部に格納されている画像を上記表示部に表示させる処理を実行する手書き文字処理手段と、辞書データに含まれる単語の音声データを再生する処理を実行する音声再生処理手段との少なくともいずれかを有するデータ処理手段を備えた電子機器であって、所定のモードを設定するモード設定手段と、上記モードが設定されている期間は、上記モードが設定された時点で使用されていた辞書データのみを検索対象として上記辞書検索手段に辞書検索を実行させるとともに、上記データ処理手段が有する手段の一部または全部に処理を実行させない無効化手段とを備えている。
【０１１８】
また、本発明の一態様に係る電子機器の制御方法は、複数の辞書データの少なくとも１つを検索対象として辞書検索を行う辞書検索ステップ、および、ユーザの操作により入力された単語を記憶部に格納するとともに、上記記憶部に格納された単語を表示部に表示させる処理と、辞書データに含まれる情報に付されたブックマークを上記記憶部に格納するとともに、上記記憶部に格納されているブックマークが付された情報を上記表示部に表示させる処理と、辞書データに含まれる文字列を識別する文字列情報を上記記憶部に格納するとともに、上記記憶部に格納されている文字列情報で識別される文字列を他の文字列と区別して上記表示部に表示させる処理と、ユーザの操作に応じて手書き入力を受け付け、該受け付けた手書き入力の軌跡を画像として上記記憶部に格納するとともに、上記記憶部に格納されている画像を上記表示部に表示させる処理と、辞書データに含まれる単語の音声データを再生する処理との少なくともいずれかを実行する処理ステップを含む電子機器の制御方法であって、所定のモードを設定するモード設定ステップを含み、上記モードが設定されている期間は、上記モードが設定された時点で使用されていた辞書データのみを検索対象として上記辞書検索ステップにて辞書検索を実行するとともに、上記処理ステップにて実行する処理の一部または全部を実行しない。
【０１１９】
上記の構成によれば、モードが設定されている期間は、モードが設定された時点で使用されていた辞書データのみを検索対象として辞書検索を実行させるとともに、単語帳機能、ブックマーク機能、マーカー機能、手書きメモ機能、および音声再生機能の一部または全部を実行させない。
【０１２０】
よって、所定辞書および所定機能の使用を禁止すべきユースケースにおいて、モードを設定しておけば、使用が禁じられた所定辞書および所定機能を使用者に使用される危険性を排除しつつ、電子機器を使用者に使用させることができるという効果を奏する。
【０１２１】
さらに、本発明の一態様に係る電子機器は、上記無効化手段は、上記辞書検索手段による辞書検索、および、上記データ処理手段に実行させる処理、のみを実行させる構成であってもよい。
【０１２２】
上記の構成によれば、モードが設定されている期間は、辞書検索機能、並びに、単語帳機能、ブックマーク機能、マーカー機能、手書きメモ機能、および音声再生機能のうち無効化されない機能、のみを実行させるので、電子機器が具備する機能のうち、これら実行される機能以外の機能（当該機能を呼び出すためのメニュー画面への遷移を含む）が実行されることはない。
【０１２３】
さらに、本発明の一態様に係る電子機器は、上記モードが設定されているとき、上記モードが設定されていることを示す情報を外部に通知するモード通知手段をさらに備える構成であってもよい。
【０１２４】
上記の構成によれば、モードが設定されていることを外部に通知する。よって、モードが設定されている状態で電子機器が使用されていることを、使用者等に知らせることができる。
【０１２５】
さらに、本発明の一態様に係る電子機器は、上記モード通知手段は、上記表示部に所定画像を表示させる構成であってもよい。
【０１２６】
上記の構成によれば、モードが設定されているとき、表示部に所定画像が表示される。よって、モードが設定されている状態で電子機器が使用されていることを、特に使用者に知らせることができる。
【０１２７】
さらに、本発明の一態様に係る電子機器は、点灯部をさらに備え、上記モード通知手段は、上記点灯部を点滅させる構成であってもよい。
【０１２８】
上記の構成によれば、モードが設定されているとき、点灯部が点滅する。よって、モードが設定されている状態で電子機器が使用されていることを、特に使用者以外の者に知らせることができる。
【０１２９】
さらに、本発明の一態様に係る電子機器は、上記電子機器の筐体は、ヒンジ部を有しており、該ヒンジ部を軸として二つに折り畳めるクラムシェル型の構造であり、上記点灯部は、二つに折り畳まれた上記筐体の天面に取り付けられている構成であってもよい。
【０１３０】
上記の構成によれば、モードが設定されているとき、上記天面に取り付けられた点灯部が点滅する。よって、モードが設定されている状態で電子機器が使用されていることを、特に、電子機器の天面側に居る者に知らせることができる。また、電子機器の天面側は使用者の視界に入らないため、点灯部が点滅しても、使用者による使用の妨げにはならない。
【０１３１】
さらに、本発明の一態様に係る電子機器は、上記モード設定手段は、上記モードを設定したとき、該設定したことを示す音声を出力する構成であってもよい。
【０１３２】
上記の構成によれば、モードを設定したとき上記音声を出力する。よって、モードが設定されたことを、使用者等に知らせることができる。
【０１３３】
さらに、本発明の一態様に係る電子機器は、上記モードが設定されているとき、外部装置からの要求に応じて、上記モードが設定されているか否かを示す情報を、上記外部装置に送信するモード送信手段をさらに備える構成であってもよい。
【０１３４】
上記の構成によれば、外部装置にモードが設定されているか否かを示す情報を送信する。よって、モードが設定されているか否かを外部装置から確認することができる。
【０１３５】
さらに、本発明の一態様に係る電子機器は、上記モードを解除するモード解除手段をさらに備え、上記モード解除手段は、上記モードを解除したとき、該解除したことを示す音声を出力する構成であってもよい。
【０１３６】
上記の構成によれば、モードを解除したとき上記音声を出力する。よって、モードが解除されたことを、使用者等（特に、使用者の周囲の者）に知らせることができる。
【０１３７】
さらに、本発明の一態様に係る電子機器は、上記モードを解除するモード解除手段をさらに備え、上記モード設定手段は、上記モード解除手段により上記モードが解除されてから所定期間は、上記モードを設定しない構成であってもよい。
【０１３８】
上記の構成によれば、モード解除後の所定期間はモードを設定しない。よって、モードを一旦解除すると直ちにはモードを設定することはできない。そのため、使用者が不正にモードを一時的に解除した場合であっても直ちにモードを設定しなおすことができず、その結果、使用者以外の者が、モードが解除されていることを発見しやすくなる。
【０１３９】
さらに、本発明の一態様に係る電子機器は、点灯部と、上記モードが解除されてから所定期間は、上記点灯部を点灯させる点灯制御手段とをさらに備える構成であってもよい。
【０１４０】
上記の構成によれば、モード解除後、所定期間は点灯部が点灯する。よって、使用者以外の者が、モードが解除されていることをさらに発見しやすくなる。
【０１４１】
なお、上記電子機器は、コンピュータによって実現してもよく、この場合には、コンピュータを上記各手段として動作させることにより上記電子機器をコンピュータにて実現させる上記電子機器の制御プログラム、およびそれを記録したコンピュータ読み取り可能な記録媒体も、本発明の範疇に入る。
【０１４２】
（ソフトウェアによる実現例）
最後に、電子機器１の各ブロック、特に制御部２は、集積回路（ＩＣチップ）上に形成された論理回路によってハードウェアとして実現してもよいし、ＣＰＵ（Central Processing Unit）を用いてソフトウェアによって実現してもよい。
【０１４３】
後者の場合、電子機器１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである電子機器１の制御プログラムのプログラムコード（実行形式プログラム、中間コードプログラム、ソースプログラム）をコンピュータで読み取り可能に記録した記録媒体を、上記電子機器１に供給し、そのコンピュータ（またはＣＰＵやＭＰＵ）が記録媒体に記録されているプログラムコードを読み出し実行することによっても、達成可能である。
【０１４４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１４５】
また、電子機器１を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４６】
本発明は、辞書機能を備えた電子機器に適用することができる。
【符号の説明】
【０１４７】
１    電子機器
３    記憶部
５    表示部
６    点灯部
９    天面
２１    機能提供部
２２    モード切替部（モード設定手段、モード解除手段）
２３    無効化制御部（無効化手段）
２４    モード通知部（モード通知手段）
２１１    辞書検索部（辞書検索手段）
２１２    単語帳処理部（単語処理手段、データ処理手段）
２１３    ブックマーク処理部（ブックマーク処理手段、データ処理手段）
２１４    マーカー処理部（文字列処理手段、データ処理手段）
２１５    手書きメモ処理部（手書き文字処理手段、データ処理手段）
２１６    音声再生処理部（音声再生処理手段、データ処理手段）
２４２    点灯制御部（点灯制御手段）
２４４    モード送信部（モード送信手段）
Ｄ    期間（所定期間）
Ｈ    ヒンジ部
Ｐ    テストモード画像（所定画像）
【図１】
2014063316.tif 000003
【図２】
2014063316.tif 000004
【図３】
2014063316.tif 000005
【図４】
2014063316.tif 000006
【図５】
2014063316.tif 000007
【図６】
2014063316.tif 000008
【図７】
2014063316.tif 000009
【図８】
2014063316.tif 000010
【図９】
2014063316.tif 000011
【図１０】
2014063316.tif 000012
【図１１】
2014063316.tif 000013
【図１２】
2014063316.tif 000014
【図１３】
2014063316.tif 000015
【図１４】
2014063316.tif 000016
【図１５】
2014063316.tif 000017